(57)【特許請求の範囲】
【請求項１】
各住宅用外壁パネル（ＯＷ）の対向端面間に画成される縦目地（ＶＪ）と横目地（ＨＪ）との十字状交差部（ＣＪ）を密封するための目地シール材が、縦目地１次上側止水材（ＶＳ1a）、縦目地１次下側止水材（ＶＳ1b）、縦目地２次上側止水材（ＶＳ2a）及び縦目地２次下側止水材（ＶＳ2b）から成る縦目地シール材（ＶＳ）と、横目地１次左側止水材（ＨＳ1a）、横目地１次右側止水材（ＨＳ1b）、横目地２次左側止水材（ＨＳ2a）と横目地２次右側止水材（ＨＳ2b）から成る横目地シール材（ＨＳ）と、前記縦目地２次上下側止水材（ＶＳ2a，ＶＳ2b）と前記横目地２次左右側止水材（ＨＳ2a，ＨＳ2b）との十字状交差部（ＣＪ）に縦断面が略Ｚ字状の縦目地３次止水材（ＶＳ3 ）と、前記縦目地（ＶＪ）を画成する前記各住宅用外壁パネル（ＯＷ）の何れか一方の対向端面における室内側寄りの縁部に沿って前記縦目地２次上側止水材（ＶＳ2a）及び前記縦目地２次下側止水材（ＶＳ2b）の各後面に当接可能に且つ前記縦目地（ＶＪ）を閉鎖するように突設される縦目地底当縁部（３）とを介在せしめて成る目地シール材において；
前記縦目地（ＶＪ）及び前記前記横目地（ＨＪ）が、前記縦目地２次下側止水材（ＶＳ2b）の上端部近傍を前記縦目地底当縁部（３）に沿って一方の下方側住宅用外壁パネル（ＯＷ）の室内側寄りの側面に固定して各下方側住宅用外壁パネル（ＯＷ）の対向側面の接近によって前記縦目地（ＪＶ）の下方側を画成し；前記縦目地（ＪＶ）の下方側の前記十字状交差部（ＣＪ）近傍に、前記縦目地底当縁部（３）の一部を切り欠いて設けた縦目地開放部（４）を通して前記縦目地３次止水材（ＶＳ3 ）を所定位置に圧入し；前記各下方側住宅用外壁パネル（ＯＷ）において前記横目地（ＨＪ）の縦断面が略逆Ｚ字状に形成された前記縦目地底当縁部（３）の上端部を含む段付き上端面上に、前記横目地２次左右側止水材（ＨＳ2a，ＨＳ2b）を固定し、一方の上方側住宅用外壁パネル（ＯＷ）を前記横目地２次左側止水材（ＨＳ2a）の上面を圧着するように接近させ；前記縦目地２次上側止水材（ＶＳ2a）の一方の側面を前記縦目地底当縁部（３）に沿って前記一方の下方側住宅用外壁パネル（ＯＷ）の室内側寄りの側面に固定し、他方の上下方側住宅用外壁パネル（ＯＷ）の各側面を近接させることによって夫々所定幅に画成されることを特徴とする目地シール材。
【請求項２】
前記縦目地１次上下側止水材（ＶＳ1a，ＶＳ1b）及び前記横目地１次左右側止水材（ＨＳ1a，ＨＳ1b）がゴム様弾性材から成り、前記縦目地２次上下側止水材（ＶＳ2a，ＶＳ2b）及び前記横目地２次左右側止水材（ＨＳ2a，ＨＳ2b）が夫々スポンジ材から成ることを特徴とする請求項１に記載の目地シール材。
【請求項３】
前記縦目地３次止水材（ＶＳ3 ）が、横断面が略Ｚ字状に形成される硬質樹脂又は金属製の縦板（２）と、該縦板（２）の両側面に層設されるスポンジ部（１）とを具備して成ることを特徴とする請求項１又は２に記載の目地シール材。
【発明の詳細な説明】
【０００１】
【発明の属する技術分野】
本発明は各住宅用外壁パネルの対向端面間に画成される縦目地と横目地の十字状交差部を密封するための目地シール材に関するものである。
【０００２】
【従来の技術】
各住宅用外壁パネルを組み立てる場合、図５〜図７に示したように、各住宅用外壁パネルＯＷの対向端面間に画成される縦目地ＶＪは、上下の住宅用外壁パネルＯＷに沿って連通、所謂芋目地状に形成されるケースがある。図５は前記芋目地における前記縦目地ＶＪと前記横目地ＨＪとの十字状交差部ＣＪを示す正面図であり、縦目地１次上側止水材ＶＳ1aの左右側面に横目地１次止水材ＨＳ1 としての横目地１次左右側止水材ＨＳ1a，ＨＳ1bを当接させ、更に前記縦目地１次上側止水材ＶＳ1aの下端部を縦目地１次下側止水材ＶＳ1bの上端部に当接させて形成される十字状交差部ＣＪが丸印で囲んで示されている。図６は、前記十字状交差部ＣＪ近傍における従来の目地シール材全体の構成を一部破断及び除去して示した斜視図であり、図７は、図５のＡ−Ａ線に沿って切断して示した縦断面図である。
【０００３】
前記縦目地ＶＪに装着される前記縦目地シール材ＶＳは、例えば天然ゴム、エチレン−プロピレンソリッドゴム材、クロロプレンリッドゴム材、エチレン−プロピレンスポンジゴム材、スチレン系、オレフィン系、塩化ビニル系、ウレタン系等の熱可塑性エラストマー材、又は熱可塑性エラストマー発泡体材等のゴム様弾性材から成り、且つ通常錨状の横断面形状を有する細長ガスケットの前記縦目地１次上側止水材ＶＳ1a及び前記縦目地１次下側止水材ＶＳ1bと、スポンジゴム又は樹脂スポンジ材から成る棒状の縦目地２次上側止水材ＶＳ2a及び縦目地２次下側止水材ＶＳ2bとを具備して成り、同様に前記横目地ＨＪに装着される前記横目地シール材ＨＳも、例えば天然ゴム、エチレン−プロピレンソリッドゴム材、エチレン−プロピレンスポンジゴム材、スチレン系、オレフィン系、塩化ビニル系、ウレタン系等の熱可塑性エラストマー材、又は熱可塑性エラストマー発泡体材等のゴム様弾性材から成り、且つ通常錨状の横断面形状を有する細長ガスケットの前記各横目地１次止水材ＨＳ1a，ＨＳ1bと、スポンジゴム又は樹脂スポンジ材から成る棒状の横目地２次止水材ＨＳ2 を具備して成っていた。
【０００４】
前記各縦目地ＶＪ及び横目地ＨＪの外方に装着される前記縦目地１次上側止水材ＶＳ1a及び前記縦目地１次下側止水材ＶＳ1bと前記横目地１次左右側止水材ＨＳ1a，ＨＳ1bから浸入した雨水等の潜り水Ｗは、内方に前記縦目地２次上下側止水材ＶＳ2a，ＶＳ2bと前記横目地２次止水材ＨＳ2 を配設し、更に前記十字状交差部ＣＪ及びその近傍の前記横目地２次止水材ＨＳ2 の上面に対する前記縦目地２次上側止水材ＶＳ2aの下方端当接部と、前記横目地２次止水材ＨＳ2 の下面に対する前記縦目地２次下側止水材ＶＳ2bの下方端当接部に夫々コーキング材Ｃを充填することによって、前記縦目地１次上下側止水材ＶＳ1a，ＶＳ1bと前記横目地１次左右側止水材ＨＳ1a，ＨＳ1bと、前記縦目地２次上下側止水材ＶＳ2a，ＶＳ2bと前記横目地２次止水材ＨＳ2 との間に画成される導水路に導かれて、住宅室内への浸入が阻止されていた。
【０００５】
【発明が解決しようとする課題】
しかしながら、前述した従来の目地シール材は、前記十字状交差部ＣＪ及びその近傍の前記横目地２次止水材ＨＳ2 の上下面に対して前記コーキング材Ｃを充填する場合、前記横目地２次止水材ＨＳ2 の上下面に対するコーキング作業自体が煩雑で、且つ作業者によってコーキング仕上がり状態にバラツキが生じ易く、その結果、前記十字状交差部ＣＪ及びその近傍の止水性を良好に確保することが困難であった。
【０００６】
本発明は前述した従来技術の問題点を解消し、住宅用外壁パネルの建て込み作業性及び十字状交差部及びその近傍の止水性の向上図ることが可能な目地シール材を提供することを目的とするものである。
【０００７】
【課題を解決するための手段】
本発明のかかる目的は、  各住宅用外壁パネルの対向端面間に画成される縦目地と横目地との十字状交差部を密封するための目地シール材が、縦目地１次上側止水材、縦目地１次下側止水材、縦目地２次上側止水材及び縦目地２次下側止水材から成る縦目地シール材と、横目地１次左側止水材、横目地１次右側止水材、横目地２次左側止水材と横目地２次右側止水材から成る横目地シール材と、前記縦目地２次上下側止水材と前記横目地２次左右側止水材との十字状交差部に縦断面が略Ｚ字状の縦目地３次止水材と、前記縦目地を画成する前記各住宅用外壁パネルの何れか一方の対向端面における室内側寄りの縁部に沿って前記縦目地２次上側止水材及び前記縦目地２次下側止水材の各後面に当接可能に且つ前記縦目地を閉鎖するように突設される縦目地底当縁部とを介在せしめて成る目地シール材において；
前記縦目地及び前記前記横目地が、前記縦目地２次下側止水材の上端部近傍を前記縦目地底当縁部に沿って一方の下方側住宅用外壁パネルの室内側寄りの側面に固定して各下方側住宅用外壁パネルの対向側面の接近によって前記縦目地の下方側を画成し；前記縦目地の下方側の前記十字状交差部近傍に、前記縦目地底当縁部の一部を切り欠いて設けた縦目地開放部を通して前記縦目地３次止水材を所定位置に圧入し；前記各下方側住宅用外壁パネルにおいて前記横目地の縦断面が略逆Ｚ字状に形成された前記縦目地底当縁部の上端部を含む段付き上端面上に、前記横目地２次左右側止水材を固定し、一方の上方側住宅用外壁パネルを前記横目地２次左側止水材の上面を圧着するように接近させ；前記縦目地２次上側止水材の一方の側面を前記縦目地底当縁部に沿って前記一方の下方側住宅用外壁パネルの室内側寄りの側面に固定し、他方の上下方側住宅用外壁パネルの各側面を近接させることによって夫々所定幅に画成されることを特徴とする目地シール材によって達成される。
【０００８】
更に、本発明のかかる目的は、前記縦目地１次上下側止水材及び前記横目地１次左右側止水材がゴム様弾性材から成り、前記縦目地２次上下側止水材及び前記横目地２次左右側止水材が夫々スポンジ材から成ることを特徴とする目地シール材によって達成される。
【０００９】
更に、本発明のかかる目的は、前記縦目地３次止水材が、縦断面が略Ｚ字状に形成される硬質樹脂又は金属製の縦板と、該縦板の両側面に層設されるスポンジ部とを具備して成ることを特徴とする目地シール材によって達成される。
【００１０】
【作用】
本発明の目地シール材は、前記各住宅用外壁パネルの対向端面間に画成される前記縦目地と前記横目地との前記十字状交差部を密封するための前記目地シール材であって、前記目地シール材が、前記縦目地１次上下側止水材及び前記縦目地２次上下側止水材から成る前記縦目地シール材と、前記横目地１次左右側止水材及び前記横目地２次左右側止水材から成る前記横目地シール材と、前記縦目地２次上側止水材と前記横目地２次左右側止水材との十字状交差部に横断面が略Ｚ字状の縦目地３次止水材を介在せしめて成るので、前記十字状交差部及びその近傍における前記縦目地に対する前記縦目地３次止水材の簡単な挿着作業によって、良好な止水性を確保する。
【００１１】
更に、本発明の目地シール材は、前記縦目地１次上下側止水材及び前記横目地１次左右側止水材が前記ゴム様弾性材から成り、前記縦目地２次上下側止水材及び前記横目地２次左右側止水材が夫々前記スポンジ材から成るので、前記縦目地３次止水材の前記スポンジ材が、前記縦目地２次上側止水材あるいは前記縦目地２次下側止水材の上下端部の現場合わせによって生じる切断寸法のバラツキ、あるいは前記縦目地３次止水材自体の挿着作業で生じる配設位置のバラツキ等が生じても、前記縦目地２次上側止水材及び前記縦目地２次下側止水材との各圧着面に対して密封に必要な程度まで弾性変形し、且つ前記縦目地３次止水材におけるその立ち上がり、立ち下がり及び水平領域の各長さを適正に設定することによって、前記十字状交差部ＣＪ及びその近傍からの潜り水Ｗの浸入及び上昇を阻止して、住宅室内への浸水を阻止する。
【００１２】
更に、本発明の目地シール材は、前記縦目地３次止水材が、縦断面を略Ｚ字状に形成される硬質樹脂又は金属製の前記縦板と、該縦板の両側面に層設される前記スポンジ部とを具備して成るので、前記縦板の側面に層設されて曲げ剛性が補強された前記縦目地３次止水材の前記スポンジ部が、前記縦目地に対する挿入作業の位置決め精度を向上せしめ、且つ前記縦目地２次上側止水材及び前記縦目地２次下側止水材の上下端面及び後面、並びに前記横目地２次止水材の前面あるいは側端面に確実に当接して、前記十字状交差部の止水性補強効果を奏する。
【００１３】
【発明の実施の形態】
本発明の目地シール材の一実施態様について添付した図面に基づき以下に詳述する。図１は、前記十字状交差部ＣＪ近傍における従来の目地シール材全体の構成を示した図７と同様に、図５のＡ−Ａ線に沿って切断して示した本発明の目地シール材の縦断面図であり、図２は、本発明に基づく前記縦目地３次止水材を示した斜視図であり、図３は、前記十字状交差部ＣＪ近傍における本発明の目地シール材全体の構成を一部破断及び除去して示した斜視図であり、図４は前記十字状交差部ＣＪ近傍における本発明の目地シール材の他の適用例を示す斜視図である。
【００１４】
図１〜図４に示した本発明の目地シール材の要部構成は、前述した従来の目地シール材のそれと同様に、前記縦目地ＶＪに装着される縦目地シール材ＶＳは、例えば天然ゴム、エチレン−プロピレンソリッドゴム材、エチレン−プロピレンスポンジゴム材、スチレン系、オレフィン系、塩化ビニル系、ウレタン系等の熱可塑性エラストマー材、又は熱可塑性エラストマー発泡体材等のゴム様弾性材から成り、且つ通常錨状の横断面形状を有する細長ガスケットの縦目地１次上側止水材ＶＳ1a及び縦目地１次下側止水材ＶＳ1bと、スポンジゴム又は樹脂スポンジ材から成る丸棒状の縦目地２次上側止水材ＶＳ2a及び縦目地２次下側止水材ＶＳ2bを具備して成り、同様に前記横目地ＨＪに装着される横目地シール材ＨＳも、例えば天然ゴム、エチレン−プロピレンソリッドゴム材、エチレン−プロピレンスポンジゴム材、スチレン系、オレフィン系、塩化ビニル系、ウレタン系等の熱可塑性エラストマー材、又は熱可塑性エラストマー発泡体材等のゴム様弾性材から成り、且つ通常錨状の横断面形状を有する細長ガスケットの横目地１次左右側止水材ＨＳ1a，ＨＳ1bと、スポンジゴム又は樹脂スポンジ材から成る棒状の横目地２次左右側止水材ＨＳ2a，ＨＳ2bを具備して成る。
【００１５】
更に、本発明の目地シール材の特徴点は、前記縦目地２次上下側止水材ＶＳ2a，ＶＳ2bと前記横目地２次左右側止水材ＨＳ2a，ＨＳ2bとの前記十字状交差部ＣＪに介在せしめる縦目地３次止水材ＶＳ3 を具備して成ることにある。前記縦目地３次止水材ＶＳ3 は通常、目地幅が比較的狭いためにその挿入が容易でない前記縦目地ＶＪに対して、図２に示したように硬質樹脂又は金属製の縦板２の両側面にスポンジ部１を層設して、全体の縦断面を略Ｚ字状に形成して成り、前記スポンジ部１の曲げ剛性を補強して前記縦目地ＶＪへの挿入に対処してある。
【００１６】
なお、前記縦目地３次止水材ＶＳ3 の全体の縦断面を略Ｚ字状に形成せしめた理由は、図１から明らかなように、前記横目地ＨＪの縦断面が略逆Ｚ字状に成るように前記横目地ＨＪを段付き加工して、前記縦目地ＶＪに挿入された前記縦目地３次止水材ＶＳ3 が、その立ち上がり前面及び水平領域の上面を前記横目地ＨＪの段付き面に略沿いながら、前記十字状交差部ＣＪ近傍の前記縦目地ＶＪを実効的に遮断させることにある。また、前記縦板２は、前記スポンジ部１が前記縦目地２次上下側止水材ＶＳ2a，ＶＳ2bの上下端面及び前後面、並びに前記横目地２次左右側止水材ＨＳ2a，ＨＳ2bの各側端面との圧着、密封に必要な程度まで弾性変形するように、前記スポンジ部１の端縁部からその端面を若干後退させることが好ましい。
【００１７】
前記縦目地２次上下側止水材ＶＳ2a，ＶＳ2bは、その横断面形状を丸棒状に限定するものでなく、長方形状に変更することも可能であるが、要は前記縦目地３次止水材ＶＳ3 における立ち上がり及び水平領域の前記各圧着面に対向する前記縦目地２次上下側止水材ＶＳ2a，ＶＳ2bの上下端面及び前後面が、充分な圧着状態を維持可能な形状を有するものであれば良い。
また、前記縦目地ＶＳを画成する前記住宅用外壁パネルＯＷの何れか一方の対向端面における室内側寄りの縁部に沿って、前記縦目地２次上下側止水材ＶＳ2a，ＶＳ2bの各後面に当接可能で、且つ前記縦目地ＶＳを閉鎖する縦目地底当縁部３が突設され、該縦目地底当縁部３によって、前記縦目地２次下側止水材ＶＳ2bが、図１及び図３に示したように、挿入時に位置規制される。
【００１８】
前記縦目地２次上下側止水材ＶＳ2a，ＶＳ2b、前記横目地２次左右側止水材ＨＳ2a，ＨＳ2b及び前記縦目地３次止水材ＶＳ3 の代表的な取付け方法は以下の通りである。先ず、現場合わせで所定長さに切断した前記縦目地２次下側止水材ＶＳ2bの上端部近傍を一方の下方側住宅用外壁パネルＯＷの側面に両面テープＴＰ等で所定位置に固定した後、他方の下方側住宅用外壁パネルＯＷの対向側面を近接させて前記縦目地ＪＶの下方側を画成する。次に、前記十字状交差部ＣＪ近傍の前記縦目地底当縁部３を一部切り欠いて設けた縦目地開放部４を通して、前記縦目地３次止水材ＶＳ3 を前記縦目地ＪＶの下方側の所定位置に圧入する。
その後、現場合わせで所定長さに切断した前記横目地２次左右側止水材ＨＳ2a，ＨＳ2bを前記各下方側住宅用外壁パネルＯＷにおける前記横目地ＨＪの段付き上端面上に両面テープＴＰ等で固定し、一方の上方側住宅用外壁パネルＯＷを前記横目地２次左側止水材ＨＳ2aの上面を圧着するように接近させる。次に、前記上方一方の上方側住宅用外壁パネルＯＷの側面に現場合わせで所定長さに切断した前記縦目地２次上側止水材ＶＳ2aの一方の側面を両面テープＴＰ等で所定位置に固定し、他方の上下方側住宅用外壁パネルＯＷの各側面を近接させて、所定幅の前記縦目地ＶＪ及び前記前記横目地ＨＪを画成する。
【００１９】
次に、前記縦目地２次下側止水材ＶＳ2bを前記縦目地底当縁部３に沿って前記縦目地ＶＪから室内側に挿入した後、前記縦目地３次止水材ＶＳ3 を前記縦目地ＶＪの所定位置に圧入し、それらの取付けを完了させる。
なお、前記縦目地１次上下側止水材ＶＳ1a，ＶＳ1b、前記横目地１次左右側止水材ＨＳ1a，ＨＳ1bの取付けは、前記縦目地２次上下側止水材ＶＳ2a，ＶＳ2b及び前記横目地２次左右側止水材ＨＳ2a，ＨＳ2bの取り付け後、任意の順序で実施される。
【００２０】
以上のように取付けられた前記縦目地３次止水材ＶＳ3 は、前記スポンジ部１が前記縦目地２次上側止水材ＶＳ2aあるいは前記縦目地２次下側止水材ＶＳ2bの下方端部あるいは上方端部の現場合わせ作業で生じる切断寸法のバラツキ、あるいは前記縦目地３次止水材ＶＳ3 自体の挿着位置のバラツキが生じても、前記縦目地２次上下側止水材ＶＳ2a，ＶＳ2bあるいは前記横目地２次左右側止水材ＨＳ2a，ＨＳ2bとの各圧着面に対して密封に必要な程度まで弾性変形して、前記十字状交差部ＣＪ及びその近傍からの潜り水Ｗの浸入を阻止し、住宅室内への浸水を阻止する。
【００２１】
なお、前記縦目地３次止水材ＶＳ3 は、前記縦目地ＶＪの目地幅が比較的広いために挿入抵抗が小さい場合、前記スポンジ部１を前記縦板２の片面のみに層設したもの、あるいは前記縦板２を全く使用せずに前記スポンジ部１のみで構成するように変更可能である。また、前記横目地２次左右側止水材ＨＳ2a，ＨＳ2bは、前記縦目地３次止水材ＶＳ3 の立ち上げ領域の上端部近傍で互いに切断せずに、前記縦目地ＶＪを完全横断して延伸させても良い。なお、前記横目地ＨＪは、その縦断面が略逆Ｚ字状に成るように段付き加工せずに、図６に示したような平行溝状態に形成し、前記横目地２次止水材ＨＳ2 の側端面を対向する前記縦目地３次止水材ＶＳ3 の立ち上がり側端面に圧着させて、前記横目地ＨＪの密封化を図るように変更可能である。
【００２２】
更に、図４に示したように、前記横目地１次左右側止水材ＨＳ1a，ＨＳ1bを一本化した横目地１次止水材ＨＳ1 に変更し、その上下側面を前記縦目地１次上下側止水材ＶＳ1a，ＶＳ1b、によって挟持させても良い。
また、前記縦目地１次上下側止水材ＶＳ1a，ＶＳ1b、を一本化した縦目地１次止水材ＶＳ1 に変更することも可能である。
【００２３】
【発明の効果】
以上、記述した本発明の目地シール材は、次に記すような新規な効果を奏するものである。即ち、本発明の目地シール材は、前記各住宅用外壁パネルの対向端面間に画成される前記縦目地と前記横目地との前記十字状交差部を密封するための前記目地シール材であって、前記目地シール材が、前記縦目地１次上下側止水材及び前記縦目地２次上下側止水材から成る前記縦目地シール材と、前記横目地１次左右側止水材及び前記横目地２次左右側止水材から成る前記横目地シール材と、前記縦目地２次上側止水材と前記横目地２次左右側止水材との十字状交差部に縦断面が略Ｚ字状の縦目地３次止水材を介在せしめて成るので、前記十字状交差部及びその近傍における前記縦目地に対する前記縦目地３次止水材の簡単な挿着作業によって、良好な止水性を確保することが可能になった。
【００２４】
更に、本発明の目地シール材は、前記縦目地１次上下側止水材及び前記横目地１次左右側止水材が前記ゴム様弾性材から成り、前記縦目地２次上下側止水材及び前記横目地２次左右側止水材が夫々前記スポンジ材から成るので、前記縦目地３次止水材の前記スポンジ材が、前記縦目地２次上側止水材あるいは前記縦目地２次下側止水材の上下端部の現場合わせによって生じる切断寸法のバラツキ、あるいは前記縦目地３次止水材自体の挿着作業で生じる配設位置のバラツキ等が生じても、前記縦目地２次上側止水材及び前記縦目地２次下側止水材との各圧着面に対して密封に必要な程度まで弾性変形し、且つ前記縦目地３次止水材におけるその立ち上がり、立ち下がり及び水平領域の各長さを適正に設定することによって、前記十字状交差部ＣＪ及びその近傍からの潜り水Ｗの浸入及び上昇を阻止して、住宅室内への浸水を阻止することが可能になった。
【００２５】
更に、本発明の目地シール材は、前記縦目地３次止水材が、縦断面を略Ｚ字状に形成される硬質樹脂又は金属製の前記縦板と、該縦板の両側面に層設される前記スポンジ部とを具備して成るので、前記縦板の側面に層設されて曲げ剛性が補強された前記縦目地３次止水材の前記スポンジ部が、前記縦目地に対する挿入作業の位置決め精度を向上せしめ、且つ前記縦目地２次上側止水材及び前記縦目地２次下側止水材の上下端面及び後面、並びに前記横目地２次止水材の前面あるいは側端面に確実に当接して、前記十字状交差部の止水性補強効果を奏することが可能になった。
【図面の簡単な説明】
【図１】  図５のＡ-Ａ線に沿って切断して示した本発明の目地シール材の縦断面図である。
【図２】  本発明に基づく縦目地３次止水材を示した斜視図である。
【図３】  本発明の目地シール材全体の構成を一部破断及び除去して示した斜視図である。
【図４】  本発明の目地シール材全体の構成を一部破断及び除去して示した斜視図である。
【図５】  縦目地と横目地との十字状交差部を示した正面図である。
【図６】  従来の目地シール材全体の構成を一部破断及び除去して示した斜視図である。
【図７】  図５のＡ-Ａ銭に沿って切断して示した従来の目地シール材の縦断面図である。
【符号の説明】
ＯＷ    住宅用外壁パネル
ＶＪ    縦目地
ＨＪ    横目地
ＶＳ    縦目地シール材
ＶＳ1a  縦目地１次上側シール材
ＶＳ1b  縦目地１次下側シール材
ＶＳ2a  縦目地２次上側シール材
ＶＳ2b  縦目地２次下側シール材
ＨＳ    横目地シール材
ＨＳ1a  横目地１次左側シール材
ＨＳ1b  横目地１次右側シール材
ＨＳ2a  横目地２次左側シール材
ＨＳ2b  横目地２次右側シール材
ＣＪ    十字状交差部
ＶＳ3 横目地３次シール材
１      スポンジ部
２      縦板
３      縦目地底当縁部
４      縦目地開放部
【図１】
0003891731.tif 000002
【図２】
0003891731.tif 000003
【図３】
0003891731.tif 000004
【図４】
0003891731.tif 000005
【図５】
0003891731.tif 000006
【図６】
0003891731.tif 000007
【図７】
0003891731.tif 000008